(57)【特許請求の範囲】
【請求項１】
デスクに対して、水平方向にスライド可能に引出部材を設け、印字部を含む上機構部が通帳移動経路から上方に離れる方向に傾動可能なプリンタをこの引出部材に搭載した通帳処理装置において、
前記引出部材が前記デスクに押し込まれた格納位置と前記デスクから引き出された引出位置に、前記引出部材をロック可能なスライドロック機構と、
前記上機構部を上方に傾動した開位置にロック可能な開ロック機構と、
前記デスク側に設けられた規制部と、
前記引出部材側に設けられ、前記引出部材が引出位置にあるときに、前記規制部に係合可能であり、且つ係合状態では前記引出部材の格納位置への移動を禁止する係合部と、
前記上機構部が開位置まで傾動したことに連動して前記係合部を前記規制部に係合させ、前記引出部材の格納位置への移動を禁止させる連動手段と
を有することを特徴とする通帳処理装置。
【請求項２】
前記規制部として、上下方向に向けて穿設されたロック穴と、
前記係合部として、上下方向に移動可能に設けられ、前記引出部材が引出位置にあるときには、前記ロック穴に嵌入可能なシャフトと、
前記シャフトを前記ロック穴から抜け出す方向に付勢するスプリングと、
前記上機構部と一体になって傾動し、前記上機構部が開位置に傾動するときには、前記シャフトを前記ロック穴内に嵌入させる、前記連動手段としての押圧部材とを有することを特徴とする請求項１記載の通帳処理装置。
【発明の詳細な説明】
【０００１】
【発明の属する技術分野】
本発明は、金融機関等に設置される通帳処理装置に関する。さらに詳細には、デスクに対して、水平方向にスライド可能に引出部材を設け、印字部を含む上機構部が通帳移動経路から上方に離れる方向に傾動可能なプリンタをこの引出部材に搭載した通帳処理装置に関する。
【０００２】
近年、コンピュータバンキングシステムが急速に進展し、金融機関の窓口でテラーによって操作される通帳処理（印字）装置も、多く用いられている。この装置では、取引処理時間の短縮化のために、ＡＴＭ（自動預金支払機）とは異なり、通帳の挿入口と排出口とを分離したブーメラン方式を採用することが望まれている。さらに、省スペース化を実現するために、デスク内にプリンタを格納したデスク一体型の装置が望まれている。
【０００３】
【従来の技術】
この種のデスク一体型通帳処理装置は、図５に示すような外観をしており、デスク１上には、顧客の口座番号や取引内容等を入力するキーボード２や操作処理内容等が表示されるディスプレイ３が載せられている。又、図示しないが、印鑑等のイメージを読み取るための光学スキャナも設けられている。この通帳処理装置において、通帳は挿入口５から差し込まれ、伝票は挿入口６から差し込まれる。そして、デスク１内のプリンタで印字等の処理がなされた通帳や伝票は、スタッカ７上に排出される。
【０００４】
デスク１には、デスク１に対して水平方向にスライド可能な引出部材８が設けられ、印字部を含む上機構部が通帳移動経路から上方に離れる方向に傾動可能なプリンタが、この引出部材８に搭載されている。
【０００５】
この従来装置のプリンタ及びその周辺部分の概念的構成は図６で示される。この図において、緩い傾斜の第１搬送路１１は、搬送ローラやガイド板等から構成され、デスク１の手前側には上記挿入口５がつながり、奥側にはプリンタ１２がつながっている。
【０００６】
又、挿入口５に差し込まれた通帳上の磁気データ（磁気ストライプ：ＭＳ）を読み取ったり逆に記録したりするＭＳユニット１３と、通帳上の画像（バーコードや文字）を読み取る光学スキャナ(ＯＣＲ)１４が、第１搬送路１１に沿って設けられている。プリンタ１２は、光学スキャナ１４が検出した通帳の印字行に印字を行うもので、印字部を含む上機構部１２ａは、通帳移動経路（第１搬送路１１の延長線上の位置にある）から上方に離れる方向に傾動可能である。このプリンタ１２としては、通帳のページを捲るターンページ機構を備えたものもある。
【０００７】
第２及び第３搬送路１５，１６は円弧状に直列配置され、両者のつなぎ部と挿入口６との間には、第４搬送路１７が設けられている。第２搬送路１５と第３搬送路１６は、プリンタ１２で印字済みの通帳や伝票をスタッカ７に排出する経路を構成し、第３搬送路１６と第４搬送路１７は挿入口６に差し込まれた伝票を第１搬送路１１に送り込む経路を構成する。このために、第１搬送路１１と第２搬送路１５との合流点には搬送路変更用のゲート１８が設けられ、第２搬送路１５と第３搬送路１６と第４搬送路１７との合流点にも搬送路変更用のゲート１９が設けられている。なお、第２〜第４搬送路１５〜１７についても、第１搬送路１１と同様に搬送ローラやガイド板等から構成されている。
【０００８】
ここで、プリンタ１２だけでなく、上記第１〜第４搬送路１１，１５〜１７，ＭＳユニット１３及び光学スキャナ１４（図６中において二点鎖線で囲まれた部分）も、引出部材８に搭載される。
【０００９】
上記従来装置において、挿入口５に通帳を差し込むと、通帳は第１搬送路１１上を搬送され、ＭＳユニット１３にて磁気ストライプの読み取りがなされる。その後、光学スキャナ１４に搬送され、印字行を見つけるための読み取り走査が行われ、プリンタ１２にて、所定の印字行に文字等の記録が行われる。この印字終了後、通帳は第２及び第３搬送路１５，１６を経由してスタッカ７に排出される。
【００１０】
一方、挿入口６に伝票を差し込むと、伝票は第４搬送路１７及び第２搬送路１５を経由して第１搬送路１１に入り、プリンタ１２へ送られ、記録がなされる。この印字終了後、伝票は第２及び第３搬送路１５，１６を経由してスタッカ７に排出される。
【００１１】
上記構成の通帳処理装置におけるジャム発生時や印字用インクリボン交換時には、図７に示すように、水平方向（Ｘ方向）に引出部材８を引き出し、プリンタ１２の上機構部１２ａを、通帳移動経路から上方に離れる方向にさせてその位置にロックし、下機構部１２ｂとの間の通帳移動経路上に詰まった通帳や伝票を取り出したり、上機構部１２ａ上のインクリボンを交換する。
【００１２】
【発明が解決しようとする課題】
ジャム解消後やインクリボン交換後に、上機構部１２ａを閉位置に戻すことを忘れて引出部材８をデスク１に押し込むと、プリンタ１２が図６の位置に戻った後でも上機構部１２ａは開位置にあり、オペレータが本来の作業を開始したときに、印字を行えないことになる。
【００１３】
本発明は、上記問題を解決するためになされたもので、その課題は、引出部材を格納位置に戻すとき、プリンタの上機構部を確実に閉位置に戻すことをオペレータに実行させる通帳処理装置を実現することにある。
【００１４】
【課題を解決するための手段】
上記課題を解決する請求項１に係る発明は、デスクに対して、水平方向にスライド可能に引出部材を設け、印字部を含む上機構部が通帳移動経路から上方に離れる方向に傾動可能なプリンタをこの引出部材に搭載した通帳処理装置において、前記引出部材が前記デスクに押し込まれた格納位置と前記デスクから引き出された引出位置に、前記引出部材をロック可能なスライドロック機構と、前記上機構部を上方に傾動した開位置にロック可能な開ロック機構と、前記デスク側に設けられた規制部と、前記引出部材側に設けられ、前記引出部材が引出位置にあるときに、前記規制部に係合可能であり、且つ係合状態では前記引出部材の格納位置への移動を禁止する係合部と、前記上機構部が開位置まで傾動したことに連動して前記係合部を前記規制部に係合させ、前記引出部材の格納位置への移動を禁止させる連動手段とを有することを特徴とするものである。
【００１５】
この発明では、ジャム発生時や印字用インクリボン交換時に引出部材をデスクから引き出して、プリンタの上機構部を開位置にロックして復旧・交換作業を行う。ジャム解消後やインクリボン交換後に、上機構部を閉位置に戻すことを忘れて引出部材をデスクに押し込もうとしても、この状態では、上機構部が開位置まで傾動したことに連動して係合部は規制部と係合している。よって、引出部材の格納位置への移動は禁止される。
【００１６】
このため、オペレータは、プリンタの上機構部を閉位置に戻すことに気付き、上機構部を閉位置に戻すことになる。この結果、係合部と規制部との係合は解除され、上機構部を閉位置に戻した状態で引出部材を格納位置に戻すことができる。すなわち、プリンタの上機構部を確実に閉位置に戻すことをオペレータに実行させることになる。
【００１７】
請求項２に係る発明は、規制部として、上下方向に向けて穿設されたロック穴と、係合部として、上下方向に移動可能に設けられ、引出部材が引出位置にあるときには、ロック穴に嵌入可能なシャフトと、シャフトをロック穴から抜け出す方向に付勢するスプリングと、上機構部と一体になって傾動し、上機構部が開位置に傾動するときには、シャフトをロック穴内に嵌入させる、連動手段としての押圧部材とを有するものである。この発明では、構成が極めて簡単になる。
【００１８】
【実施の形態】
本発明の実施の形態例が図５〜図７に示した従来装置と相異する点は、引出部材を格納位置に戻すとき、プリンタの上機構部を確実に閉位置に戻すことをオペレータに実行させる機構を付加した点であり、従って、本形態例は図５〜図７に示した従来装置の基本的構成を全て有している。
【００１９】
すなわち、本形態例もデスク一体型通帳処理装置であり、図５に示すような外観をしており、デスク上には、顧客の口座番号や取引内容等を入力するキーボードや操作処理内容等が表示されるディスプレイが載せられている。又、印鑑等のイメージを読み取るための光学スキャナも設けられている。さらに、図５における挿入口５，６と同様な挿入口を有しており、通帳や伝票もこれらの挿入口に差し込まれ、デスク内のプリンタで印字等の処理がなされた通帳や伝票が、スタッカ７と同様なスタッカ上に排出されるようになっている。
【００２０】
本形態例中のデスクにも、デスクに対して、水平方向にスライド可能に引出部材が設けられ、印字部を含む上機構部が通帳移動経路から上方に離れる方向に傾動可能なプリンタが、この引出部材に搭載されている。
【００２１】
本形態例におけるプリンタ及びその周辺部分の概念的構成も図６及び図７に示した構成と共通しており、緩い傾斜の第１搬送路や、ＭＳユニット，光学スキャナ(ＯＣＲ)，第２〜第４搬送路等が設けられている。そして、プリンタだけでなく、第１〜第４搬送路，ＭＳユニット及び光学スキャナ等も、引出部材に搭載されている。本形態例での印字作業も、図５〜図７に示した従来装置と全く同様になされる。
【００２２】
そこで、本形態例の主要部のみを図１〜図４を用いて重点的に説明する（プリンタは図６に示した場合と同様に引出部材上に傾いて配置されるが、図１〜図３ではプリンタが水平になるように全体を回転させた状態を示している）。まず、図４に示すように、デスクから水平方向に引き出される引出部材２０は、従来装置における引出部材８と同様な形状を有するもので、その側面には、引出方向に延びた摺動レール２１が固着されている。この摺動レール２１は、図示しないデスク側に設けたガイドレールに摺動自在に嵌合し、引出部材２０の水平方向の移動を実現するものである。
【００２３】
又、引出部材２０の側面には、引出部材２０がデスクに押し込まれた格納位置とデスクから引き出された引出位置に、引出部材２０をロック可能なスライドロック機構が設けられている。このスライドロック機構としては種々なものが考えられるが、本形態例でのスライドロック機構２３は、引出部材２０の側面にピン２４，２５でもって回動可能に枢着された二つのフック２６，２７と、両フック２６，２７を同期してロック方向あるいはアンロック方向に回転させるために、両フック２６，２７間に連結されたリンク２８と、両フック２６，２７をロック方向に付勢するために、リンク２８・引出部材２０間に掛止されたスプリング２９とから構成されている。
【００２４】
二つのフック２６，２７は、デスク側に突設されたロックピン３０と係脱するもので、ロックピン３０が嵌合するためのロック溝２６ａ，２７ａが、同方向に且つ引出方向と直交する方向（図４における下方向）に形成されている。又、フック２６，２７には、引出部材２０が格納位置方向や引出位置方向に移動してロックピン３０に摺接した際に、アンロック方向の回転力を受け、ロックピン３０がロック溝２６ａ，２７ａに進入できるように、摺接斜面２６ｂ、２７ｂが水平方向から対峙するように設けられている。
【００２５】
図４は引出部材２０がＸ方向に移動して引出位置に到達している状態を示しており、ロックピン３０とフック２７のロック溝２７ａとが嵌合し、ロック状態にある。この引出位置から引出部材２０を格納位置に戻すには、図示しないハンドルを用いて、フック２７をアンロック方向に回転させる力をスライドロック機構２３に与え、ロックピン３０とロック溝２７ａとの嵌合状態を解除し、引出部材２０を押し込めばよい。これにより、今度はフック２６の摺接斜面２６ｂがロックピン３０に当接し、フック２６が一時的にアンロック方向に回転した後、ロック溝２６ａにロックピン３０が嵌合する。すなわち、引出部材２０は格納位置にロックされる。
【００２６】
本形態例に用いるプリンタ４０は、特に図３に示すように、印字部（ヘッド）４１を含む上機構部４２が、通帳移動経路から上方に離れる方向に傾動可能に設けられている。光学スキャナ５０を経てプリンタ４０内に入った通帳は、通帳移動経路を形成する搬送ローラ４３等により搬送されながら、印字部４１による印字が行われる。本形態例での印字方式は、インクリボン４４を用いたワイヤドット式であるが、これに限るものではない。
【００２７】
プリンタ４０の下機構部４５は、図１及び図２に示すように、引出部材２０のフレーム６０に取り付けられている。この下機構部４５に対する上機構部４２の傾動中心は、ヒンジシャフト６１である。又、上機構部４２と下機構部４５との間に通帳移動経路を形成する上記搬送ローラ４３は、下機構部４５側に設けられている。
【００２８】
開ロック機構６５は、上機構部４２を、上方に傾動した開位置にロックするもので、上機構部４２の側方に突設されたヒンジピン６６と、ヒンジピン６６により垂直面内で回動可能に支持されたレバー６７と、レバー６７の略コの字形の長穴６７ａに嵌合し且つ下機構部４５に突設されたロックピン６８と、ロックピン６８がレバー６７の長穴６７ａの端部と嵌合するようにレバー６７を付勢するスプリング６９から構成されている。
【００２９】
レバー６７の略コの字形の長穴６７ａについて詳しく説明すると、長穴６７ａは、レバー６７の長手方向（図１〜図３の上下方向）を向いた中間溝６７ａ１と、中間溝６７ａ１の上端から図１〜図３の右方向に延びた閉位置時嵌合溝６７ａ２と、中間溝６７ａ１の下端から図１〜図３の右方向に延びた開位置時嵌合溝６７ａ３とからなる。
【００３０】
そして、レバー６７の取っ手６７ｂを引き上げると、レバー６７がスプリング６９の付勢力に抗して図１〜図３における反時計方向に回転し、ロックピン６８が相対的に長穴６７ａの中間溝６７ａ１方向に移動するようになっている。
【００３１】
従って、上機構部４２が閉位置にある図１の状態から、レバー６７の取っ手６７ｂを引き上げると、ロックピン６８が相対的に長穴６７ａの閉位置時嵌合溝６７ａ２内を中間溝６７ａ１方向に摺動し、さらに取っ手６７ｂを引き上げると、ロックピン６８が長穴６７ａの中間溝６７ａ１内を相対的に下方に摺動し、上機構部４２を開くことができる。この上機構部４２が開いた状態で取っ手６７ｂを引き上げる力を抜くと、レバー６７はスプリング６９の付勢力により図１〜図３における時計方向に回転させられ、ロックピン６８が相対的に長穴６７ａの開位置時嵌合溝６７ａ３内に進入し、図２に示すように、上機構部４２は開位置にロックされる。
【００３２】
ジャム発生時やインクリボン４４の交換時には、この開位置に上機構部４２をロックして、下機構部４５との間の通帳移動経路上に詰まった通帳や伝票を取り出したり、上機構部４２内のインクリボン４４を交換する。上機構部４２を再び閉位置に戻すには、一度レバー６７の取っ手６７ｂを引き上げて、ロックピン６８を相対的に開位置時嵌合溝６７ａ３内を中間溝６７ａ１方向に摺動させた後、レバー６７の角度をその状態に保った状態で、取っ手６７ｂにかかる力を抜き、ロックピン６８を長穴６７ａの中間溝６７ａ１内に進入させる。その後は、上機構部４２がその自重により元の高さまで下降し、この下降後、スプリング６９の付勢力によりレバー６７は図１〜図３における反時計方向に回転させられ、ロックピン６８が相対的に長穴６７ａの閉位置時嵌合溝６７ａ２内に進入し、上機構部４２は図１に示す閉位置に戻ることになる。
【００３３】
図１及び図２に示すように、デスク側の部材７０には、規制部として、ロック穴７１が上下方向に向けて穿設されている。一方、引出部材２０側には、規制部に係合可能な係合部として、シャフト８０が設けられている。シャフト８０は、引出部材２０が引出位置にあるときにロック穴７１に嵌入可能であり、且つ嵌入状態では引出部材２０の格納位置への移動を禁止するものである。なお、図１及び図２においては、引出部材２０は引出位置にある。
【００３４】
ブラケット８１は板材をコの字形に折り曲げたもので、シャフト８０を軸方向（上下方向）に移動可能に支持している。このブラケット８１は引出部材２０側（引出部材２０そのものやプリンタ４０の下機構部４５）に固着されている。又、シャフト８０の中間部分には、つば部を形成するようにＥリング８２が係止されており、シャフト８０上のＥリング８２・ブラケット８１間に位置する部分には、シャフト８０をロック穴７１から抜け出す方向に付勢するスプリング８３が嵌挿されている。このため、上機構部４２が閉位置に戻っているときには、スプリング８３の付勢力により、シャフト８０はロック穴７１から抜け出ている。
【００３５】
一方、プリンタ４０の上機構部４２には、上機構部４２が開位置まで傾動したことに連動してシャフト８０をロック穴７１に嵌入させ、引出部材２０の格納位置への移動を禁止させる押圧部材８５が、連動手段として、取り付けられている。この押圧部材８５は、板材を屈曲させて形成したもので、先端屈曲部でシャフト８０の頭部を押下できるように設けられている。
【００３６】
引出部材２０を引出位置まで引き出し、レバー６７を操作して上機構部４２を開位置にロックしたときには、この押圧部材８５の押圧によって、必ず、シャフト８０がロック穴７１に嵌入することになる。
【００３７】
このため、ジャム発生時やインクリボン４４の交換時に引出部材２０をデスクから引き出して、プリンタ４０の上機構部４２を開位置にロックして復旧・交換作業を行い、ジャム解消後やインクリボン４４の交換後に、上機構部４２を閉位置に戻すことを忘れて引出部材２０をデスクに押し込もうとしても、この状態では、シャフト８０がロック穴７１に嵌入しているため、引出部材２０を格納位置に戻すことはできない。
【００３８】
よって、オペレータは、プリンタ４０の上機構部４２を閉位置に戻す必要があることに気付き、上機構部４２を閉位置に戻すことになる。これにより、シャフト８０とロック穴７１との嵌合は解除され、引出部材２０を格納位置に戻すことができる。すなわち、プリンタ４０の上機構部４２を確実に閉位置に戻すことをオペレータに実行させることができる。
【００３９】
尚、本発明は上記形態例の構成に限られるものではない。例えば、プリンタの上機構部が開位置まで傾動したことに連動して係合部を規制部に係合させる連動手段は、機械的に運動を伝達するものに限らず、例えば、プリンタの上機構部が開位置まで傾動したことを検知するセンサを設け、このセンサによりソレノイドを駆動制御し、係合部を規制部に係合させるようにしてもよい。
【００４０】
又、規制部と係合部の組み合わせとして、上記形態例では、シャフト８０をロック穴７１に嵌入させ、引出部材２０の格納位置への移動を禁止させるものを用いているが、このような機能を発揮する機構は数多くあり、シャフトとロック穴との組み合わせに限る必要はない。しかし、押圧部材でシャフトをロック穴に嵌入させるものが最も構成を簡単にできる。さらに、スライドロック機構や開ロック機構についても、上記形態例の構成に限らない。
【００４１】
【発明の効果】
以上説明したように、請求項１記載の発明によれば、ジャム解消後やインクリボン交換後に、上機構部を閉位置に戻すことを忘れて引出部材をデスクに押し込もうとしても、この状態では、上機構部が開位置まで傾動したことに連動して係合部は規制部と係合しているので、引出部材の格納位置への移動は禁止される。このため、オペレータは、プリンタの上機構部を閉位置に戻すことに気付き、上機構部を閉位置に戻すことになる。よって、プリンタの上機構部を確実に閉位置に戻すことをオペレータに実行させることができる。請求項２記載の発明によれば、引出部材を格納位置へ戻すことを禁止する機構を簡単にできる。
【図面の簡単な説明】
【図１】本発明の実施の形態例の主要部を示す側面図である。
【図２】図１における他の作動状態を示す側面図である。
【図３】図２の状態における斜視図である。
【図４】スライドロック機構の一例を示す斜視図である。
【図５】従来の通帳処理装置を示す斜視図である。
【図６】図５中の主要部の概念的構成を示す側面図である。
【図７】図６における他の作動状態を示す側面図である。
【符号の説明】
２０           引出部材
２３           スライドロック機構
２６，２７     フック
２８           リンク
２９           スプリング
３０           ロックピン
４０           プリンタ
４１           印字部
４２           上機構部
４４           インクリボン
４５           下機構部
５０           光学スキャナ
６０           フレーム
６１           ヒンジシャフト
６５           開ロック機構
６６           ヒンジピン
６７           レバー
６７ａ         長穴
６７ｂ         取っ手
６８           ロックピン
６９           スプリング
７０           デスク側部材
７１           ロック穴
８０           シャフト
８２           Ｅリング
８３           スプリング
８５           押圧部材
【図１】
0004509418.tif 000002
【図２】
0004509418.tif 000003
【図３】
0004509418.tif 000004
【図４】
0004509418.tif 000005
【図５】
0004509418.tif 000006
【図６】
0004509418.tif 000007
【図７】
0004509418.tif 000008